(57)【要約】【課題】  トラックピッチが狭い場合にも高転送レートで正確な再生動作を行うことが可能な低コストの磁気ヘッド装置を提供する。【解決手段】  再生ヘッド部１０のヘッドチップは、所定のトラックピッチＴｐで記録された８本の記録トラックから同時に磁気信号を再生するように、それぞれ４個ずつの磁気ヘッドからなる２（＝ｍ）群のマルチヘッドを薄膜技術により一体に構成したマルチ再生ヘッドである。第１群の各磁気ヘッドＨ１１〜Ｈ１４は、いずれもそのヘッド幅が磁気テープ２に形成された記録トラックのトラックピッチＴｐに等しい幅に構成され、磁気ヘッドＨ１１〜Ｈ１４のそれぞれで隣接するものは、記録トラックの長手方向にずらして配置されている。また、これらの２群のマルチヘッドは、再生ヘッド部１０のヘッドチップ上で隣り合っており、かつ互いに下記の式で決められた距離Ｄだけずらして配置されている。  Ｄ＝Ｔｐ×ｑ×（ｍ×ｎ＋１）＝１２Ｔｐ【選択図】  図４
2006031770.tif 000002
【特許請求の範囲】
【請求項１】
磁気テープの走行方向に対して斜め方向に形成された複数の記録トラックから、複数の再生ヘッドによって同時に磁気信号を再生する磁気ヘッド装置において、
所定のトラックピッチＴｐで記録された記録トラックから同時に前記磁気信号を再生するように、それぞれが前記記録トラックの長手方向にずらして隣接配置されたｑ個の再生ヘッドを具備するｍ群のマルチヘッドを備え、
（ｑ×ｍ）本の記録トラックを同時に再生するように、前記マルチヘッドの隣り合う各群が、同一直線上で互いに式（１）で決められた距離Ｄだけずらして配置されていることを特徴とする磁気ヘッド装置。
Ｄ＝Ｔｐ×ｑ×（ｍ×ｎ＋１）                                    ……（１）
（ただし、Ｔｐ＞０、ｑおよびｍは２以上の整数、ｎは０以上の整数）
【請求項２】
ｍ群の前記マルチヘッドは、ｍ対の磁気抵抗効果型素子を磁性ハード層を挟んで前記記録トラックの幅方向に形成した薄膜層を、磁気シールド材を介してｑ層分だけ同一非磁性基板上に積層して形成されていることを特徴とする請求項１記載の磁気ヘッド装置。
【請求項３】
前記各再生ヘッドは、そのヘッド幅が前記磁気テープにおける記録トラックのトラックピッチＴｐの半分以下に設定されていることを特徴とする請求項１記載の磁気ヘッド装置。
【請求項４】
磁気テープの走行方向に対して斜め方向に記録された複数の記録トラックから、複数の再生ヘッドによって同時に磁気信号を再生する磁気再生装置において、
前記磁気テープを所定の走行速度で走行させるテープ走行手段と、
所定のトラックピッチＴｐで記録された記録トラックから同時に前記磁気信号を再生するように、それぞれが前記記録トラックの長手方向にずらして隣接配置されたｑ個の再生ヘッドを具備するｍ群のマルチヘッドからなる磁気ヘッド部と、
前記磁気ヘッド部を搭載して前記磁気テープの走行速度に対して所定の回転速度で回転する回転ドラムと、
を備え、
（ｑ×ｍ）本の記録トラックを同時に再生するように、前記マルチヘッドの隣り合う各群が、同一直線上で互いに式（２）で決められた距離Ｄだけずらして配置され、
前記磁気ヘッド部による１回のスキャンで再生された前記記録トラックに対して、次のスキャンでは前記磁気テープに対して式（３）で決められた距離Ｐだけずれた位置の前記記録トラックの再生を行うように、前記回転ドラムの回転速度を設定したことを特徴とする磁気再生装置。
Ｄ＝Ｔｐ×ｑ×（ｍ×ｎ＋１）                                    ……（２）
Ｐ＝Ｔｐ×ｑ×ｍ                                                ……（３）
（ただし、Ｔｐ＞０、ｑおよびｍは２以上の整数、ｎは０以上の整数）
【請求項５】
前記各再生ヘッドは、そのヘッド幅が前記磁気テープにおける記録トラックのトラックピッチＴｐの半分以下に設定され、
前記各マルチヘッドにおける隣接する２つ以上の前記再生ヘッドにより１つの記録トラックの再生を行うようにしたことを特徴とする請求項４記載の磁気再生装置。
【発明の詳細な説明】
【技術分野】
【０００１】
本発明は、磁気テープの走行方向に対して斜め方向に形成された複数の記録トラックから、複数の再生ヘッドによって同時に磁気信号を再生する磁気ヘッド装置、およびこれを具備する磁気再生装置に関し、とくに磁気テープの記録トラックに記録された磁気信号を確実に再生するようにした磁気ヘッド装置、およびこれを具備する磁気再生装置に関する。
【背景技術】
【０００２】
一般に、磁気記録ヘッドは、磁性材料から成る第１の磁気コア層（磁極）と第２の磁気コア層とこれら２つの磁気コア層に記録磁界を誘導するコイルとを有し、このコイルにより２つの磁気コア層の先端間に漏れ磁界を発生している。このような磁気記録ヘッドに対して、磁気テープなどの磁気記録媒体を２つの磁気コア層の先端に接触した状態、または近接した状態で走行させることによって、磁気テープ上に微細な永久磁化領域を連続して形成し、コイルに印加した磁気信号を記録することができる。
【０００３】
近年の記録技術では、記録密度の高密度化を図るために、磁気記録媒体に形成する記録トラックの幅方向の寸法を小さくする狭トラック化が求められている。狭トラック化を実現するためには、磁気ヘッドの磁気コア層（磁極）の幅寸法を小さくする必要があって、今日では薄膜形成技術とホトリソグラフィ技術を用いて、磁気記録ヘッドのコア、コイル、ギャップ、絶縁層などのすべての部分を一体に製造する技術が実用化されている。また、記憶容量の大容量化や高転送レート化を実現する記録再生方式としては、いわゆるヘリカルスキャンシステムが提案され実用化されている。
【０００４】
例えばビデオテープレコーダ（ＶＴＲ：Video Tape Recorder）やＤＡＴ（Digital Audio Tape）レコーダ等に採用されているヘリカルスキャンシステムは、高速で回転するドラムに磁気ヘッドを備え、このドラムに対して磁気テープを摺動させて、この磁気テープに対して斜め方向に高速で記録再生を行うという記録再生方式である。
【０００５】
特許文献１には、ヘリカルスキャン方式における薄膜磁気記録ヘッドのマルチ化によって、トラックピッチを高密度化して記録密度の高密度化を図る技術が開示されている。この特許文献１では、非磁性基板上に絶縁層を介して、所定のギャップが形成された一対の薄膜磁極、磁気シールド層の順に積層して構成した薄膜磁気記録ヘッドに、さらに上記積層方向に磁気シールド層、所定のギャップが形成された一対の薄膜磁極の順に積層するとともに、積層した複数の一対の薄膜磁極を積層方向に対してほぼ直交する方向（幅方向）にずらして形成している。
【０００６】
このように、磁気テープにおける記録密度の高密度化のためには、トラック幅を狭くすることが有効であるが、記録トラックの狭幅化が図られた場合の再生方式として、いわゆるノントラッキング方式がある。特許文献２には、リニアテープシステムにおいて、狭幅に記録された記録トラックの再生を可能とする技術が開示されている。ここでは、１つの記録トラックに対して複数の再生ヘッドを対応させたマルチ再生ヘッド（以下、マルチヘッドという。）を有し、このマルチヘッドの各再生用磁気ヘッドを記録トラックの幅方向にずらして配置するとともに、マルチヘッドの全体の幅が記録トラックの幅よりも広く形成されている。これによって、マルチヘッドに対して相対的に磁気テープがトラック幅方向に揺らぎを生じても、マルチヘッドのいずれかの再生ヘッドにより記録トラックを余すことなくスキャンすることができ、よって、いわゆるノントラッキング再生方式を用いた磁気データの完全再生を可能にしている。
【特許文献１】特開２００２−２１６３１３号公報（段落番号〔００１９〕〜〔００３３〕、図２）
【特許文献２】特開２００３−１３２５１２号公報（段落番号〔００１２〕〜〔００１６〕、図４）
【発明の開示】
【発明が解決しようとする課題】
【０００７】
ところで、記録トラックの狭小化に伴い、再生ヘッドのヘッド幅についても一層小さくすることが望まれている。しかし、再生ヘッドとして近年多く用いられている磁気抵抗効果型（ＭＲ：Magneto Resistive）ヘッドでは、ＭＲ素子の両側にハード膜と呼ばれる磁性膜を形成し、ＭＲ素子に印加される磁気状態を安定させるようにしており、このハード膜にある程度の長さが必要となるために、狭小なＭＲヘッドを一直線上に形成することが困難であった。そこで、再生ヘッドについても、上述した特許文献１の記録ヘッドと同様に、隣接する再生ヘッドを記録トラックの長手方向にずらして形成する必要が生じている。
【０００８】
一方、薄膜マルチヘッドでは、そこに形成される再生ヘッドの個数を増やせば、１回のスキャンでより多くの記録トラックから信号を再生でき、再生データの高転送レート化を図ることができる。しかし、ＭＲヘッドを用いた上記構造の薄膜マルチヘッドで再生ヘッドの個数を増やすには、薄膜マルチヘッドの膜数を大きくする必要があって、薄膜マルチヘッドを製造する薄膜プロセスにおいては、単一の薄膜マルチヘッドでその膜数を増やすにはコストが高くなるとともに、加工精度を確保して高密度に記録トラックを形成することが困難になるという問題があった。
【０００９】
特に、薄膜マルチヘッドを用いてノントラッキング方式により再生を行う場合、再生ヘッドの個数は再生する記録トラックの２倍以上必要となるので、再生データの高転送レート化のためにはより多くの再生ヘッドを形成する必要があり、一層製造コストが上昇することが問題であった。
【００１０】
本発明はこのような点に鑑みてなされたものであり、トラックピッチが狭い場合にも高転送レートで正確な再生動作を行うことが可能な低コストの磁気ヘッド装置を提供することを目的とする。
【００１１】
また、本発明の別の目的は、トラックピッチが狭い場合にも高転送レートで正確な再生動作を行うことが可能な低コストの磁気再生装置を提供することである。
【課題を解決するための手段】
【００１２】
本発明では、上記問題を解決するために、磁気テープの走行方向に対して斜め方向に形成された複数の記録トラックから、複数の再生ヘッドによって同時に磁気信号を再生する磁気ヘッド装置において、所定のトラックピッチＴｐで記録された記録トラックから同時に前記磁気信号を再生するように、それぞれが前記記録トラックの長手方向にずらして隣接配置されたｑ個の再生ヘッドを具備するｍ群のマルチヘッドを備え、（ｑ×ｍ）本の記録トラックを同時に再生するように、前記マルチヘッドの隣り合う各群が、同一直線上で互いに式（１）で決められた距離Ｄだけずらして配置されていることを特徴とする磁気ヘッド装が提供される。
【００１３】
Ｄ＝Ｔｐ×ｑ×（ｍ×ｎ＋１）                                    ……（１）
ただし、Ｔｐ＞０、ｑおよびｍは２以上の整数、ｎは０以上の整数である。
このような磁気ヘッド装置では、回転ドラムに取り付けて磁気テープをスキャンする際に、１回のスキャンで信号を読み取った記録トラックに対して、次のスキャンでは磁気テープに対してＴｐ×ｑ×ｍなる距離だけずれた位置の記録トラックをスキャンすることで、すべての記録トラックの記録信号を読み取ることができる。
【００１４】
また、本発明では、磁気テープの走行方向に対して斜め方向に記録された複数の記録トラックから、複数の再生ヘッドによって同時に磁気信号を再生する磁気再生装置において、前記磁気テープを所定の走行速度で走行させるテープ走行手段と、所定のトラックピッチＴｐで記録された記録トラックから同時に前記磁気信号を再生するように、それぞれが前記記録トラックの長手方向にずらして隣接配置されたｑ個の再生ヘッドを具備するｍ群のマルチヘッドからなる磁気ヘッド部と、前記磁気ヘッド部を搭載して前記磁気テープの走行速度に対して所定の回転速度で回転する回転ドラムとを備え、（ｑ×ｍ）本の記録トラックを同時に再生するように、前記マルチヘッドの隣り合う各群が、同一直線上で互いに式（２）で決められた距離Ｄだけずらして配置され、前記磁気ヘッド部による１回のスキャンで再生された前記記録トラックに対して、次のスキャンでは前記磁気テープに対して式（３）で決められた距離Ｐだけずれた位置の前記記録トラックの再生を行うように、前記回転ドラムの回転速度を設定したことを特徴とする磁気再生装置が提供される。
【００１５】
Ｄ＝Ｔｐ×ｑ×（ｍ×ｎ＋１）                                    ……（２）
Ｐ＝Ｔｐ×ｑ×ｍ                                                ……（３）
ただし、Ｔｐ＞０、ｑおよびｍは２以上の整数、ｎは０以上の整数である。
【００１６】
このような磁気再生装置では、磁気ヘッド部の磁気テープに対する位置を記録トラックの１スキャンごとに式（３）で決められた距離Ｐだけずらしていくことで、すべての記録トラックの記録信号を読み取ることができる。
【発明の効果】
【００１７】
本発明によれば、１つのマルチヘッド内の再生ヘッド数を増加させることなく、同時に再生可能な記録トラック数を多くすることができる。従って、再生データの高転送レート化が図られながらも、特に薄膜プロセスによって形成した場合にその膜数を少なくして製造コストを低減することができ、狭小化された記録トラックの記録信号を正確に読み取ることができる。
【発明を実施するための最良の形態】
【００１８】
以下、本発明の実施の形態について、図面を参照して説明する。
図１は、本発明が適用される磁気ヘッド装置を具備する磁気記録再生装置における磁気テープの走行系の概略を示す図である。ここに図示した磁気記録再生装置は、後述するマルチヘッド（図４）の磁気ヘッド装置を用いて、ヘリカルスキャン方式で走行する磁気テープに対して、４チャネルのトラックを同時に記録し、８チャネルのマルチヘッドを用いたノントラッキング再生方式のものである。
【００１９】
図１において、磁気記録再生装置１は、記録媒体として磁気テープ２を用いて信号の記録、および再生を行う装置であり、例えばコンピュータ装置用のデータ記憶装置（データストリーマ）などとして用いられる。この図１に示すように、磁気記録再生装置１は、斜め方向に走行する磁気テープ２に対して信号の書き込みと読み取りを行う回転ヘッドドラム装置３と、磁気テープ２を所定の速度で走行させるキャプスタン４およびピンチローラ５と、磁気テープ２の走行を補助する複数のテープガイド（ＴＧ）６ａ，６ｂ，６ｃ，６ｄおよび６ｅとによって構成されている。また、この磁気記録再生装置１に挿入されたカセットケース７は、磁気テープ２の巻き取りリール７ａおよび供給リール７ｂを具備している。
【００２０】
回転ヘッドドラム装置３は、全体として平滑な外周面を有する円筒形をなし、回転ドラムとそのシャフトを回動自在に軸支する固定ドラムとに分割されている。また、回転ヘッドドラム装置３の外周面上には、複数チャネルの同時記録、同時再生が可能なマルチヘッド構造の再生ヘッド部と記録ヘッド部とが設けられ、各磁気ヘッドが回転ドラムの回転に伴ってその外周面上を走行する磁気テープ２の傾斜する複数トラックを同時に走査するように構成されている。
【００２１】
この磁気記録再生装置１において、磁気テープ２の記録、および再生が行われる際は、図１中下方から上方に向かって挿入したカセットケース７が、回転ヘッドドラム装置３の近接位置にセットされる。そして、回転ヘッドドラム装置３の回転ドラムが回転するとともに、ピンチローラ５、およびＴＧ６ａ〜６ｅなどが図中上方に移動して磁気テープ２のローディング動作が行われ、磁気テープ２が回転ヘッドドラム装置３の外周面の一部に巻き付けられる。これとともに、キャプスタン４、および巻き取りリール７ａが回転することにより磁気テープ２が走行して、回転ドラム上の各磁気ヘッドが磁気テープ２の表面を走査することによって信号の書き込みと読み取りが開始される。
【００２２】
図２は、回転ヘッドドラム装置における記録ヘッド、再生ヘッドの配置を示す回転ドラムの平面図である。本実施形態では、回転ドラム８の外周部に一例として記録ヘッド部９と再生ヘッド部１０とが１つずつ、互いに１８０度対向する位置に設けられている。再生ヘッド部１０については、後述する図３、図４に示すような構成の８個の磁気ヘッドを１つのチップに形成した８チャネルのマルチ再生ヘッドである。
【００２３】
これらの磁気ヘッドを配置した回転ドラム８の外周面に、磁気テープ２をヘリカル状に巻き付けて走行させることによって、磁気テープ２と接触している間に記録ヘッド部９の各磁気ヘッドが記録トラックを形成して信号を記録し、あるいは再生ヘッド部１０の各磁気ヘッドにより同時に８チャネル分の信号を再生することができる。
【００２４】
以下、薄膜技術を使って作成される複数の薄膜磁気ヘッドを備えた再生ヘッド部１０の具体的構成についてせつめいする。
図３は、図２に示す再生ヘッド部を構成する再生用磁気ヘッドの一例を示す平面図である。ここでは、それぞれが記録トラックの記録方向にずらして隣接配置された４（＝ｑ）個の再生用磁気ヘッド（以下、単に磁気ヘッドという。）Ｈ１１〜Ｈ１４からなる第１群のマルチヘッドだけを示しているが、図示しない４個の磁気ヘッドＨ２１〜Ｈ２４からなる第２群のマルチヘッドも同様の構成である。ここでは、再生幅をＷとする磁気ヘッド（ＭＲヘッド）Ｈ１１〜Ｈ１４が４つ積層形成された再生ヘッド部１０について説明する。
【００２５】
非磁性体の基板１１上に絶縁層１２を介して下層シールド磁性体１３となる軟磁性膜（ＳＡＬ膜）、および下層ギャップ絶縁層１４を順次積層し、この下層ギャップ絶縁層１４上に、ＭＲ素子１５を、その長手方向が磁気テープとの対向面であるヘッド面と垂直になるように配置し、且つその一方の端面がヘッド面に露出するように形成されている。この磁気ヘッドＨ１１の再生幅Ｗを決める感磁部は、ＭＲ素子１５と下層シールド磁性体１３（ＳＡＬ膜）とがそれぞれ薄い非磁性層間に挟み込まれて構成される。なお、このＭＲ素子１５の両端には、図示しないセンス電流を提供するための前端電極、後端電極が形成されている。
【００２６】
その後、ＭＲ素子１５には前端電極、後端電極を含んで全面に絶縁層１６が積層された後、ＭＲ素子１５の両脇にはその長手方向に図示しない非磁性層を介してバイアス用のハード膜１７が形成され、磁気ヘッドＨ１１が構成される。その後、全面につぎの磁気ヘッドＨ１２の下層シールド磁性体１８となる軟磁性膜を順次積層することにより、順次に磁気ヘッドＨ１２〜Ｈ１４が構成される。再生ヘッド部１０の最上層には絶縁層１９を介して非磁性体の基板２０が配置されている。
【００２７】
以上のように構成される再生ヘッド部１０は、磁気信号が記録された磁気テープ２から、ＭＲ素子１５が磁気テープ２における記録磁界の変化に応じてその抵抗値を変化させることによって、複数の記録トラックから同時に磁気信号を読み取ることができる。
【００２８】
図４は、８本の記録トラックから同時に磁気信号を再生する再生ヘッド部の構成の一例を示す図である。
この図４において、再生ヘッド部１０のヘッドチップは、所定のトラックピッチＴｐで記録された８本の記録トラックから同時に磁気信号を再生するように、それぞれ４個ずつの磁気ヘッドからなる２（＝ｍ）群のマルチヘッドを薄膜技術により一体に構成したマルチ再生ヘッドである。各磁気ヘッドＨ１１〜Ｈ１４，Ｈ２１〜Ｈ２４は、いずれもその再生幅（ヘッド幅）Ｗが磁気テープ２に形成された記録トラックのトラックピッチＴｐに等しい幅に構成されている。また、これらの２群のマルチヘッドは、再生ヘッド部１０のヘッドチップ上で隣り合っており、かつ互いに下記の式（４）で決められた距離Ｄだけずらして配置されている。
【００２９】
Ｄ＝Ｔｐ×ｑ×（ｍ×ｎ＋１）                                    ……（４）
ただし、ｎは０以上の整数であり、本実施の形態では、式（４）においてｑ＝４、ｍ＝２、ｎ＝１に設定され、距離Ｄは１２Ｔｐとなる。
【００３０】
また、例えば上記式（４）でｎを０に選択した場合には、この再生ヘッド部１０における２群のマルチヘッドの間隔Ｄは４Ｔｐとなる。すなわち、８個の磁気ヘッドＨ１１〜Ｈ１４，Ｈ２１〜Ｈ２４がそれぞれ隙間なしに隣接して配置されることになる。
【００３１】
また、群の数ｍを４にして、それぞれ各群のマルチヘッドを構成する磁気ヘッドの数ｑを２とした場合も、上記式（４）と同じ間隔Ｄ＝１２Ｔｐだけ離して各群のマルチヘッドを配置すればよい。
【００３２】
つぎに、上述した再生ヘッド部１０により、複数の記録トラックが走行方向に対して斜め方向に形成された磁気テープ２から磁気信号を再生する再生動作について説明する。
図５は、磁気テープに傾斜して記録された記録トラックに対する再生ヘッド部の位置関係を示す図である。ここで、磁気テープ２には、記録トラックがテープ走行方向に対して斜め方向（図の上下方向）に形成されている。なお、図５において、再生ヘッド部１０ａ〜１０ｃは、それぞれ（ｓ−１）回目、ｓ回目、（ｓ＋１）回目のスキャン時における記録トラックに対する再生ヘッド部１０の位置を示している。
【００３３】
いま、再生ヘッド部１０の走査開始位置が、回転ドラム８の一回転毎に下記の式（５）で示す所定の距離Ｐだけ、図の右方向に移動するように、磁気テープ２の走行速度に対して回転ドラム８が所定の回転速度で回転するものとする。
【００３４】
Ｐ＝Ｔｐ×ｑ×ｍ                                                ……（５）
本実施の形態では、式（５）においてｑ＝４、ｍ＝２に設定され、距離Ｐは８Ｔｐとなる。
【００３５】
このとき、再生ヘッド部１０ｂの位置から回転ドラム８の一回転で再生される記録トラックには、２群のマルチヘッドの間に８本分の非再生トラックが挟まれている。これら８本分の非再生トラックのうち、第１群側（図中左側）の４本分の記録トラックは、回転ドラム８の先行する一回転時において、再生ヘッド部１０ａの第２群の磁気ヘッドＨ２１〜Ｈ２４によって既に再生され、第２群側（図中右側）の４本分の記録トラックは、つぎに回転ドラム８が一回転するときに、再生ヘッド部１０ｃの第１群の磁気ヘッドＨ１１〜Ｈ１４によって再生される。
【００３６】
こうして、８個の磁気ヘッドＨ１１〜Ｈ１４，Ｈ２１〜Ｈ２４を備えた再生ヘッド部１０は、所定の距離Ｐ（＝８Ｔｐ）だけ離れた位置に記録された８本の記録トラックをつぎつぎに再生することで、順次に磁気テープ２上に走行方向に対して斜め方向に記録された複数の記録トラックのすべてを、欠落することなしに再生できる。
【００３７】
なお、再生された磁気信号は、それぞれ一定の期間だけバッファ記憶してから読み出すようにすれば、磁気テープ２に記録された各記録トラックの順序で記録情報を整列することができる。
【００３８】
以上の実施の形態では、８個の磁気ヘッドＨ１１〜Ｈ１４、Ｈ２１〜Ｈ２４を同一非磁性基板上に薄膜プロセスにより形成したので、回転ドラム８自体の回転振れ精度ＮＲＲＯ（例えば０．１μｍ〜０．４μｍ）が誤差として加わったとしても、各磁気ヘッドが１チャネルずつ独立して配置されている場合や、マルチヘッド単位で個別に配置された場合に比べて、取り付け誤差や経時変化が生じない。
【００３９】
また、各マルチヘッドにおいて隣接する磁気ヘッドを磁気テープ２の長手方向にずらして配置したことで、ＭＲ素子の両側のハード膜を十分長くして磁気状態を安定化しつつ、ＭＲ素子のヘッド幅を小さくしている。しかも、各磁気ヘッドを２群に分けて薄膜マルチヘッドの膜数を少なくしたので、磁気ヘッド数を増加させながらも、ＭＲ素子の位置精度を高め、かつ製造プロセスを容易にしてその製造コストを抑制することができる。したがって、例えば１．５μｍ程度のトラックピッチで高密度に形成された記録トラックからの再生データの高転送レート化と低コスト化とを両立することが可能となる。
【００４０】
図６は、他の実施の形態に係る再生ヘッド部と記録トラックとの位置関係を示す概略図である。
図６に示す再生ヘッド部１００（１００ａ〜１００ｃ）は、上述した図３および図４に示した再生ヘッド部１０と同様の構造を持ちながら、各磁気ヘッドのヘッド幅を記録トラックのトラック幅の半分にしたものである。このような再生ヘッド部１００を用いて、以下のようなノントラッキング再生方式での信号再生が可能となる。なお、図６では、再生ヘッド部１００が、磁気テープ２に対して例として３通りの位置で再生動作を行う場合について、再生ヘッド部１００ａ〜１００ｃとして示している。
【００４１】
いま、１つの記録トラックＰ１と２つの磁気ヘッドＨ１１，Ｈ１２とに注目する。磁気テープ２に対して再生ヘッド部１００ａで示す位置関係にあるときには、記録トラックＰ１から磁気ヘッドＨ１１，Ｈ１２の両方でノイズの少ない磁気信号を読み取って、再生信号が得られる。また、磁気テープ２に対して再生ヘッド部１００ｂで示す位置関係にあるときは、磁気ヘッドＨ１２では２つの記録トラックＰ１，Ｐ２の信号が混在して有効な磁気信号を読み取れないが、磁気ヘッドＨ１１によりノイズの少ない記録トラックＰ１の再生信号が得られる。さらに、磁気テープ２に対して磁気ヘッド部１００ｃで示す位置関係にあるときは、磁気ヘッドＨ１１では有効な再生信号を読み取れないが、磁気ヘッドＨ１２でノイズの少ない記録トラックＰ１の再生信号を得ることができる。
【００４２】
このように、磁気テープ２の記録時でのテープ走行速度が、再生時のテープ走行速度より速くなければ、４本の記録トラックＰ１〜Ｐ４に対して８個の磁気ヘッドＨ１１〜Ｈ１４，Ｈ２１〜Ｈ２４がどのような位置関係にあっても、少なくとも１つおきの磁気ヘッドは隣接する記録トラックと重ならないで、有効な磁気信号を読み取ることができる。すなわち、１つの記録トラックに対して、少なくとも奇数番目の磁気ヘッドＨ１１，Ｈ１３，Ｈ２１，Ｈ２３、あるいは偶数番目の磁気ヘッドＨ１２，Ｈ１４，Ｈ２２，Ｈ２４のいずれかによって、必ずノイズの少ない磁気信号が読み取れるから、ノイズの少ない信号を時々刻々選択していくことで、記録トラック全体についてノントラッキング再生が可能になる。
【００４３】
そして、ノントラッキング方式で再生動作を行う場合、再生ヘッドのヘッド幅は記録トラックの半分以下としなければならないので、上記のように各マルチヘッドにおいて隣接する再生ヘッドが記録トラックの長手方向にずらして配置した構造とすることで、ＭＲ素子周辺の磁気状態の安定を保ったまま再生ヘッドのヘッド幅を狭小にすることができ、しかも再生データの転送レートを高めることが可能となる。
【００４４】
なお、上述した実施形態の磁気ヘッド装置では、磁気ヘッドＨ１１〜Ｈ１４，Ｈ２１〜Ｈ２４の再生幅Ｗが磁気テープ２における記録トラックのトラックピッチＴｐと等しい場合、およびトラックピッチＴｐの半分である場合について説明したが、再生幅ＷをトラックピッチＴｐの半分以下に設定してもよい。
【図面の簡単な説明】
【００４５】
【図１】実施の形態に係る磁気ヘッド装置を具備する磁気記録再生装置における磁気テープの走行系の概略を示す図である。
【図２】回転ヘッドドラム装置における記録ヘッド、再生ヘッドの配置を示す回転ドラムの平面図である。
【図３】図２に示す再生ヘッド部を構成する再生用磁気ヘッドの一例を示す平面図である。
【図４】８本の記録トラックから同時に磁気信号を再生する再生ヘッド部の構成の一例を示す図である。
【図５】磁気テープに傾斜して記録された記録トラックに対する再生ヘッド部の位置関係を示す図である。
【図６】他の実施の形態に係る再生ヘッド部と記録トラックとの位置関係を示す概略図である。
【符号の説明】
【００４６】
１……磁気記録再生装置、２……磁気テープ、８……回転ドラム、１０……再生ヘッド部、１１，２０……非磁性体の基板、１２，１６，１９……絶縁層、１３，１８……下層シールド磁性体、１４……下層ギャップ絶縁層、１５……ＭＲ素子、１７……ハード膜、Ｈ１１〜Ｈ１４，Ｈ２１〜Ｈ２４……再生用磁気ヘッド
【図１】
2006031770.tif 000003
【図２】
2006031770.tif 000004
【図３】
2006031770.tif 000005
【図４】
2006031770.tif 000006
【図５】
2006031770.tif 000007
【図６】
2006031770.tif 000008